(57)【要約】【課題】ＦＬバックライトおよびＬＣＤバックライトから選択される一方のバックライトを筐体の設計やシステム仕様を大きく変更することなく搭載可能な情報処理装置を提供する。【解決手段】ＦＬバックライト３２ＡおよびＬＥＤバックライト３２Ｂとそれぞれの駆動回路（３３Ａまたは３３Ｂ）を上ケースに収容し、それらのケーブルをまとめるＬＣＤコネクタ３６ＡにＦＬ／ＬＥＤ判別ピン３６ａを設けて、ＦＬ／ＬＥＤ判別部４３によって判別するようにしたため、少なくとも下ケース２０内の筐体設計やシステム使用を変更することなくＦＬバックライト３２ＡおよびＬＥＤバックライト３２Ｂの両方に対応した情報処理装置を提供できる。【選択図】図２
2008158225.tif 000002
【特許請求の範囲】
【請求項１】
ＦＬバックライトおよびＬＥＤバックライトから選択される一方のバックライトと、
前記選択される一方のバックライトから光を入射して所定の映像を表示するＬＣＤパネルと、
前記選択される一方のバックライトを駆動する駆動回路と、
前記選択される一方のバックライトの種別に応じたバックライト種別信号を出力する種別信号出力部と、
前記バックライト種別信号出力に応じた映像信号を前記ＬＣＤパネルに出力し、前記バックライト種別信号に応じた輝度制御信号を前記選択される一方のバックライトへ出力する制御部とを有することを特徴とする情報処理装置。
【請求項２】
前記ＬＣＤパネルを有する上部筐体と、前記上部筐体と接続される下部筐体とを備え、
前記ＬＣＤパネルと、前記選択される一方のバックライトと、前記駆動回路は上部筐体に収容され、
前記種別信号出力部と、前記制御部は下部筐体に収容されることを特徴とする請求項１に記載の情報処理装置。
【請求項３】
前記駆動回路は、前記選択される一方のバックライトとしてＦＬバックライトが選択された場合は、ＦＬインバータ制御回路を用い、前記選択される一方のバックライトとしてＬＥＤバックライトが選択された場合は、ＬＥＤバックライト駆動回路を用いることを特徴とする請求項１に記載の情報処理装置。
【請求項４】
前記種別信号出力部は、前記ＬＣＤコネクタのピンの接地により前記選択される一方のバックライトの種別を判定することを特徴とする請求項１に記載の情報処理装置。
【発明の詳細な説明】
【技術分野】
【０００１】
本発明は、表示部としてＬＣＤ（Ｌｉｑｕｉｄ  Ｃｒｙｓｔａｌ  Ｄｉｓｐｌａｙ）を搭載した情報処理装置に関し、特に、ＦＬ（Ｆｌｕｏｒｅｓｃｅｎｔ  Ｌａｍｐ）バックライトおよびＬＥＤバックライトから選択される１つのバックライトを筐体の設計やシステムの仕様を大きく変更することなく搭載可能な情報処理装置に関する。
【背景技術】
【０００２】
従来の技術として、ＦＬバックライトを使用した異なる種類のＬＣＤ、例えばＳＴＮ（Ｓｕｐｅｒ−Ｔｗｉｓｔｅｄ  Ｎｅｍａｔｉｃ）やＴＦＴ（Ｔｈｉｎ  Ｆｉｌｍ  Ｔｒａｎｓｉｔｅｒ）等のＦＬバックライトに共用できるＦＬインバータを搭載した情報処理装置がある（例えば、特許文献１参照）。
【０００３】
この情報処理装置は、ＦＬインバータ内にＦＬバックライトを点灯駆動するためのＦＬ電源回路と、複数の抵抗およびコンデンサと、複数の抵抗およびコンデンサの接続を切り替える複数のスイッチと、複数のスイッチを制御するスイッチ制御回路とを有する。スイッチ制御回路は、ＦＬインバータに接続されるＬＣＤに合わせて複数のスイッチを切り替え、ＬＣＤに使用されているＦＬバックライトの種類に応じた電流を流すことができる。このため、この情報処理装置は、１つのＦＬインバータで異なる種類のＬＣＤに対応することができる。その結果、この情報処理装置は、ＬＣＤ以外の各部の設計や仕様を変更することなく、複数の種類のＬＣＤから選択された１つのＬＣＤを搭載することができる。
【特許文献１】特開平８−２４１０４３号公報
【発明の開示】
【発明が解決しようとする課題】
【０００４】
しかし、従来の情報処理装置によると、複数の種類のＦＬバックライトに対応することができるが、ＦＬバックライトと駆動方式の異なるＬＥＤを用いたバックライトには対応できず、ＬＥＤを用いたバックライトを搭載する場合にはバックライト駆動回路等を含む多くの回路の設計や仕様を変更する必要があるという問題がある。
【０００５】
従って、本発明の目的は、ＦＬバックライトおよびＬＣＤバックライトから選択される一方のバックライトを筐体の設計やシステム仕様を大きく変更することなく搭載可能な情報処理装置を提供することにある。
【課題を解決するための手段】
【０００６】
本発明は上記目的を達成するため、ＦＬバックライトおよびＬＥＤバックライトから選択される一方のバックライトと、前記選択される一方のバックライトから光を入射して所定の映像を表示するＬＣＤパネルと、前記選択される一方のバックライトを駆動する駆動回路と、前記選択される一方のバックライトの種別に応じたバックライト種別信号を出力する種別信号出力部と、前記バックライト種別信号出力に応じた映像信号を前記ＬＣＤパネルに出力し、前記バックライト種別信号に応じた輝度制御信号を前記選択される一方のバックライトへ出力する制御部とを有することを特徴とする情報処理装置を提供する。
【発明の効果】
【０００７】
本発明によれば、情報処理装置の設計や仕様を大きく変更することなく複数種類のＬＣＤを搭載できる。
【発明を実施するための最良の形態】
【０００８】
以下に、本発明の情報処理装置の実施の形態を、図面を参照して詳細に説明する。
【０００９】
図１は、本発明の実施の形態に関する情報処理装置の外観を示す概略図である。
【００１０】
情報処理装置１は、上ケース（上部筐体）１０と下ケース（下部筐体）２０とからなる。上ケース１０には画像を表示可能なＬＣＤ等からなる表示部３０を有する。下ケース２０は、内部にＨＤＤ（Ｈａｒｄ  Ｄｉｓｃ  Ｄｒｉｖｅ）やＣＰＵ（Ｃｅｎｔｒａｌ  Ｐｒｏｃｅｓｓｉｎｇ  Ｕｎｉｔ）等の電子部品を有しており、文字情報等を入力可能なキーボード２１と、表示部３０上の表示でカーソル等の移動やスイッチ決定等の動作が可能なポインティングデバイス２２とを有する。
【００１１】
図２（Ａ）および（Ｂ）は、本発明の実施の形態に関する情報処理装置の構成を示すブロック図である。
【００１２】
図２（Ａ）に示すように、バックライトとしてＦＬバックライトを用いた情報処理装置１は、上ケース１０と下ケース２０とからなる。上ケース１０は、表示部３０として画像を表示可能なＬＣＤパネル３１とＬＣＤパネル３１を照らすＦＬバックライト３２ＡとＦＬバックライト３２Ａを点灯駆動するＦＬインバータ駆動回路３３Ａとを有する。電源／ＬＶＤＳケーブル３４は、ＬＣＤパネル３１に映像信号および電力を供給し、電源／輝度制御ケーブル３５は、ＦＬインバータ駆動回路３３Ａに輝度制御信号および電力を供給する。電源／ＬＶＤＳケーブル３４および電源／輝度制御ケーブル３５は、上ケース１０より取り出されてＬＣＤコネクタ３６Ａにまとめられている。また、ＬＣＤコネクタ３６ＡはＦＬ／ＬＥＤ判別ピン３６ａを有する。
【００１３】
下ケース２０は、システム基板４０を有する。システム基板４０は、ＬＣＤコネクタ３６Ａと接続される基板コネクタ３６Ｂと、ＬＣＤパネル３１およびＦＬインバータ駆動回路３３Ａに電力を供給する電源４１と、映像信号を出力するＧＰＵであるＬＶＤＳ（Ｌｏｗ  Ｖｏｌｔａｇｅ  Ｄｉｆｆｅｒｅｎｔｉａｌ  Ｓｉｇｎａｌｉｎｇ）４２（制御部）と、接続されているＬＣＤを判別してバックライト種別信号を出力するサウスブリッジであるＦＬ／ＬＥＤ判別部４３（種別信号出力部）と、組込コントローラであるＥＣおよびキーボードを制御するキーボードコントローラを含むＥＣ（Ｅｍｂｅｄｄｅｄ  Ｃｏｎｔｒｏｌｌｅｒ）／ＫＢＣ（Ｋｅｙ  Ｂｏａｄ  Ｃｏｎｔｒｏｌｌｅｒ）４４（制御部）とを有する。
【００１４】
図２（Ｂ）に示すように、バックライトとしてＬＥＤバックライトを用いた情報処理装置１は、上ケース１０と下ケース２０とからなる。上ケース１０は、表示部３０として画像を表示可能なＬＣＤパネル３１とＬＣＤパネル３１を照らすＬＥＤバックライト３２ＢとＬＥＤバックライト３２Ｂを点灯駆動するＬＥＤバックライト駆動回路３３Ｂとを有する。電源／ＬＶＤＳケーブル３４は、ＬＣＤパネル３１に映像信号および電力を供給し、電源／輝度制御ケーブル３５は、ＦＬインバータ駆動回路３３Ａに輝度制御信号および電力を供給する。電源／ＬＶＤＳケーブル３４および電源／輝度制御ケーブル３５は、上ケース１０より取り出されてＬＣＤコネクタ３６Ａにまとめられている。また、ＬＣＤコネクタ３６ＡはＦＬ／ＬＥＤ判別ピン３６ａを有する。
【００１５】
ＦＬ／ＬＥＤ判別ピン３６ａは、例えばＬＥＤバックライト搭載時に接地し、ＦＬバックライト搭載時にはオープンにする。
【００１６】
ＦＬ／ＬＥＤ判別部４３は、バックライト種別信号をＬＶＤＳ４２およびＥＣ／ＫＢＣ４４に出力する。
【００１７】
図３は、本発明の実施の形態に関する基板コネクタの構成を示す概略図である。
【００１８】
基板コネクタ３６Ｂは、複数のケーブルをまとめており、電源４１から取り出されてＦＬバックライト３２ＡおよびＬＥＤバックライト３２Ｂに共用される電源ケーブルである共用電源用ケーブル３００と、ＦＬバックライト３２Ａ搭載時にＦＬインバータ駆動回路３３Ａに電力を供給するＦＬ電源用ケーブル３０１と、ＬＥＤバックライト３２Ｂ搭載時にＬＥＤバックライト駆動回路３３Ｂに電力を供給するＬＥＤ電源用ケーブル３０２とを有する。
【００１９】
また基板コネクタ３６Ｂは、バックライトの輝度を制御するための共通のケーブルである輝度制御用ケーブル３０３を３本と、ＬＥＤバックライト３２Ｂ搭載時にＬＥＤバックライトの輝度を制御するためのケーブルであるＬＥＤバックライト輝度制御用ケーブル３０４と、ＦＬバックライト３２Ａが接続されたかＬＥＤバックライト３２Ｂが接続されたかを判別するためのＦＬ／ＬＥＤ判別用ケーブル３０５と、ＬＣＤパネル３１に映像信号を送信するためのＬＶＤＳ用ケーブル３０６とを有する。
【００２０】
ＦＬ電源用ケーブル３０１は、ＬＥＤバックライト３２Ｂを搭載している場合のＬＣＤコネクタ３６Ａでは接続しない。同様に、ＬＥＤ電源用ケーブル３０２およびＬＥＤバックライト輝度制御用ケーブル３０４は、ＦＬバックライト３２Ａを搭載している場合のＬＣＤコネクタ３６Ａでは接続しない。
【００２１】
ＦＬ／ＬＥＤ判別用ケーブル３０５が接続されている基板コネクタ３６Ｂのピンは、ＬＣＤコネクタ３６ＡのＦＬ／ＬＥＤ判別ピン３６ａに接続される。例えば、ＦＬ／ＬＥＤ判別ピン３６ａが接地されていればＬＥＤバックライト３２Ｂ、オープンにされていればＦＬバックライト３２Ａが搭載されていると判断する、というように設定する。なお、判断はＦＬ／ＬＥＤ判別部により行い、ＧＰＩ（Ｇｅｎｅｒａｌ  Ｐｕｒｐｏｓｅ  Ｉｎｐｕｔ）をプルアップしておいて、その信号が接地されたかどうかで見分ける。
【００２２】
ＬＣＤコネクタ３６Ａを基板コネクタ３６Ｂに接続すると、サウスブリッジであるＦＬ／ＬＥＤ判別部４３は、ＦＬ／ＬＥＤ判別ピン３６ａの設定に従って、例えばＦＬ／ＬＥＤ判別ピン３６ａが接地されていれば図２（Ａ）に示すようにＬＥＤバックライト３２ＢおよびＬＥＤバックライト駆動回路３３Ｂが接続されていると認識する。ＦＬ／ＬＥＤ判別部４３は、判別結果をバックライト種別信号としてＬＶＤＳ４２およびＥＣ／ＫＢＣ４４に送信し、ＬＶＤＳ４２およびＥＣ／ＫＢＣ４４は、バックライト種別信号に基づいた動作をする。
【００２３】
電源４１は、ＬＣＤパネル３１と、ＦＬインバータ駆動回路３３ＡまたはＬＥＤバックライト駆動回路３３Ｂに電力を供給する。電力は共用電源用ケーブル３００、ＦＬ電源用ケーブル３０１およびＬＥＤ電源用ケーブル３０２を介して供給される。
【００２４】
ＬＶＤＳ４２は、ＬＣＤパネル３１に映像信号を送信する。映像信号はＬＶＤＳ用ケーブル３０６を介してＬＣＤパネル３１に送信され、ＬＣＤパネル３１は、映像信号に基づいた映像を表示する。
【００２５】
ＥＣ／ＫＢＣ４４は、ＦＬ／ＬＥＤ判別部４３の判別結果であるバックライト種別信号に基づいて、キーボード２１によって輝度を調整した際の輝度パラメータや制御信号の使い方等を切り替える。
【００２６】
上記した本発明の実施の形態によると、ＦＬバックライト３２ＡおよびＬＥＤバックライト３２Ｂとそれぞれの駆動回路（３３Ａまたは３３Ｂ）を上ケースに収容し、それらのケーブルをまとめるＬＣＤコネクタ３６ＡにＦＬ／ＬＥＤ判別ピン３６ａを設けて、ＦＬ／ＬＥＤ判別部４３によって判別するようにしたため、少なくとも下ケース２０内の筐体設計やシステム使用を変更することなくＦＬバックライト３２ＡおよびＬＥＤバックライト３２Ｂの両方に対応した情報処理装置を提供できる。その結果、ノートＰＣのディスプレイのＢＴＯ等に容易に対応可能となる。
【００２７】
また、ＦＬインバータ駆動回路３３ＡおよびＬＥＤバックライト駆動回路３３Ｂを上ケース１０に収容したため、システム基板４０の実装面積を抑えることができ、情報処理装置の小型化に貢献する。
【００２８】
なお、ＦＬバックライトのＬＣＤパネル３１とＬＥＤバックライトのＬＣＤパネル３１の動作電圧が共通の場合は、システム基板上の基板コネクタ３６Ｂで共通のピンを使用することができる。ＦＬバックライトＬＣＤパネル用電源ケーブル３０１とＬＥＤバックライトＬＣＤパネル用電源ケーブル３０２を分けることなく共通のピンから供給することができる。
【図面の簡単な説明】
【００２９】
【図１】本発明の実施の形態に関する情報処理装置の外観を示す概略図である。
【図２】（Ａ）および（Ｂ）は、本発明の実施の形態に関する情報処理装置の構成を示すブロック図である。
【図３】本発明の実施の形態に関する基板コネクタの構成を示す概略図である。
【符号の説明】
【００３０】
１…情報処理装置、１０…上ケース、２０…下ケース、２１…キーボード、２２…ポインティングデバイス、３０…表示部、３１…ＬＣＤパネル、３２Ａ…ＦＬバックライト、３２Ｂ…ＬＥＤバックライト、３３Ａ…ＦＬインバータ駆動回路、３３Ｂ…ＬＥＤバックライト駆動回路、３４…電源／ＬＶＤＳケーブル、３５…電源／輝度制御ケーブル、３６Ａ…ＬＣＤコネクタ、３６Ｂ…基板コネクタ、３６ａ…ＦＬ／ＬＥＤ判別ピン、４０…システム基板、４１…電源、４２…ＬＶＤＳ、４３…ＦＬ／ＬＥＤ判別部、４４…ＥＣ／ＫＢＣ、３００…共用電源ケーブル、３０１…ＦＬバックライトＬＣＤパネル用電源ケーブル、３０２…ＬＥＤバックライトＬＣＤパネル用電源ケーブル、３０３…輝度制御ケーブル、３０４…ＬＥＤバックライト用輝度制御ケーブル、３０５…ＦＬ／ＬＥＤ判別ケーブル、３０６…ＬＶＤＳ用映像信号ケーブル、３１０…電源ケーブル、３１１…輝度制御ケーブル
【図１】
2008158225.tif 000003
【図２】
2008158225.tif 000004
【図３】
2008158225.tif 000005